【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】  光を反射する複数の反射面を有するポリゴンミラーにおいて、該反射面上に、１．４５以下の屈折率を有する物質からなる単層膜を有していることを特徴とするポリゴンミラー。
【請求項２】  前記物質が、１．３４以上１．４５以下の屈折率を有するものである請求項１記載のポリゴンミラー。
【請求項３】  前記物質が非晶質フッ素樹脂である請求項１または２に記載のポリゴンミラー。
【請求項４】  前記非晶質フッ素樹脂が、１．３４の屈折率を有する請求項３に記載のポリゴンミラー。
【請求項５】  前記単層膜の厚さが８８〜１０９ｎｍである請求項１乃至４の何れかに記載のポリゴンミラー。
【請求項６】  前記単層膜が湿式成膜法により形成されてなる請求項１〜５のいずれかに記載のポリゴンミラー。
【請求項７】  前記単層膜が、該１．４５以下の屈折率を有する物質を含む溶液を反射面に塗布後、反射面を半径方向に取る回転を行なう回転湿式成膜法により形成されてなる請求項６に記載のポリゴンミラー。
【請求項８】  反射面上に膜を有しているポリゴンミラーの製造方法であって、
（１）該膜を形成する物質を含む溶液をポリゴンミラーの反射面に塗布する塗布工程と、
（２）該工程（１）に引き続く、該反射面を半径方向に取り、該ポリゴンミラーを回転させることによって反射面上に溶液からなる塗膜を形成する塗膜形成工程と、
を有するポリゴンミラーの製造方法において、
該工程（１）が、該反射面と該回転の軸との最短距離をＲｉとしたとき、ポリゴンミラーの該回転の軸からＲｉ以上の部分のみに溶液を塗布する工程を含むことを特徴とするポリゴンミラーの製造方法。
【請求項９】  前記工程（１）が、前記溶液を槽に溜め、この槽内に形成される溶液面と前記軸との距離をＲとし、前記反射面内の前記軸から最も遠い点と前記軸との距離をＲｏとしたとき、Ｒｉ≦Ｒ≦Ｒｏとして前記ポリゴンミラーを回転させることにより塗布を行う工程を含む請求項８に記載のポリゴンミラーの製造方法。
【請求項１０】  前記工程（１）におけるポリゴンミラーの回転数が、前記溶液面が激しく波立たない回転数以下である請求項９に記載のポリゴンミラーの製造方法。
【請求項１１】  前記工程（１）が、前記溶液を槽に溜め、この槽内に形成される溶液面に前記反射面を順次接するようにポリゴンミラーを溶液に浸すことによって塗布を行う工程を含む請求項８に記載のポリゴンミラーの製造方法。
【請求項１２】  前記工程（１）が、前記溶液を含浸した柔らかな媒体を前記反射面に押し付けることによって塗布を行う工程を有する請求項８に記載のポリゴンミラーの製造方法。
【請求項１３】  前記工程（１）が、前記反射面のみに前記溶液を噴きつけることによって塗布を行う工程を有する講求項８に記載のポリゴンミラーの製造方法。
【請求項１４】  光を反射する複数の反射面を有するポリゴンミラーにおいて、該反射面上に、膜厚分布を持つ膜を有することを特徴とするポリゴンミラー。
【請求項１５】  前記膜厚分布が、１０〜７０°の入射角に対応する位置においてブリュースタ角における反射率が得られる膜厚である請求項１４に記載のポリゴンミラー。
【請求項１６】  前記膜厚分布が、ブリュースタ角以下の入射角に対応する位置においては膜厚が均一であり、ブリュースタ角を超える入射角に対応する位置においてはブリュースタ角における反射率が得られる膜厚である請求項１４に記載のポリゴンミラー。
【請求項１７】  前記膜厚分布が、１０°から７０°の入射角に対応する位置にかけて、一様に薄くなるような傾斜を持つ請求項１４に記載のポリゴンミラー。
【請求項１８】  光源、光源から出射された光を集光して結像する結像光学系、結像された光を反射して偏向する光偏向器、および偏向された光を被走査面に導く走査レンズを備える光走査装置において、該光偏向器が請求項１〜７および１４〜１７のいずれかに記載のポリゴンミラーを備えることを特徴とする光走査装置。
【請求項１９】  感光体を帯電させる手段、帯電した感光体を露光して潜像を形成する露光手段、該潜像にトナーを供給してトナー像を形成するトナー像形成手段、該トナー像を転写材に転写する転写手段、および該感光体表面の残留物や異物を除去するクリーニング手段を有する電子写真装置において、
該露光手段として請求項１８に記載の光走査装置を備えることを特徴とする電子写真装置。
【手続補正２】
【補正対象書類名】明細書
【補正対象項目名】００１１
【補正方法】変更
【補正の内容】
【００１１】
【課題を解決するための手段】
本発明は、光を反射する複数の反射面を有するポリゴンミラーにおいて、該反射上に、１．４５以下の屈折率を有する物質からなる単層膜を有していることを特徴とするポリゴンミラーである。
【手続補正３】
【補正対象書類名】明細書
【補正対象項目名】００１２
【補正方法】変更
【補正の内容】
【００１２】
このポリゴンミラーにおいては、前記物質が、１．３４以上１．４５以下の屈折率を有するものであることが好ましい。また前記物質が非晶質フッ素樹脂であることが好ましい。そして、前記非晶質フッ素樹脂が、１．３４の屈折率を有することが好ましい。
【手続補正４】
【補正対象書類名】明細書
【補正対象項目名】００１３
【補正方法】変更
【補正の内容】
【００１３】
また、前記単層膜の厚さが８８〜１０９ｎｍであることが好ましい。
【手続補正５】
【補正対象書類名】明細書
【補正対象項目名】００１６
【補正方法】変更
【補正の内容】
【００１６】
本発明はまた、反射面上に膜を有しているポリゴンミラーの製造方法であって、
（１）該膜を形成する物質を含む溶液をポリゴンミラーの反射面に塗布する塗布工程と、
（２）該工程（１）に引き続く、該反射面を半径方向に取り、該ポリゴンミラーを回転させることによって反射面上に溶液からなる塗膜を形成する塗膜形成工程と、
を有するポリゴンミラーの製造方法において、
該工程（１）が、該反射面と該回転の軸との最短距離をＲｉとしたとき、ポリゴンミラーの該回転の軸からＲｉ以上の部分のみに溶液を塗布する工程を含むことを特徴とするポリゴンミラーの製造方法である。
【手続補正６】
【補正対象書類名】明細書
【補正対象項目名】００１７
【補正方法】変更
【補正の内容】
【００１７】
この方法においては、前記工程（１）が、前記溶液を槽に溜め、この槽内に形成される溶液面と前記軸との距離をＲとし、前記反射面内の前記軸から最も遠い点と前記軸との距離をＲｏとしたとき、Ｒｉ≦Ｒ≦Ｒｏとして前記ポリゴンミラーを回転させることにより塗布を行う工程を含むことが好ましい。
【手続補正７】
【補正対象書類名】明細書
【補正対象項目名】００１８
【補正方法】変更
【補正の内容】
【００１８】
また、前記工程（１）におけるポリゴンミラーの回転数が、前記溶液面が激しく波立たない回転数以下であることが好ましい。
【手続補正８】
【補正対象書類名】明細書
【補正対象項目名】００１９
【補正方法】変更
【補正の内容】
【００１９】
また、前記工程（１）が、前記溶液を槽に溜め、この槽内に形成される溶液面に反射面を順次接するようにポリゴンミラーを溶液に浸すことによって塗布を行う工程を含むことが好ましい。
【手続補正９】
【補正対象書類名】明細書
【補正対象項目名】００２０
【補正方法】変更
【補正の内容】
【００２０】
あるいはまた、前記工程（１）が、前記溶液を含浸した柔らかな媒体を前記反射面に押し付けることによって塗布を行う工程を有することが好ましい。
【手続補正１０】
【補正対象書類名】明細書
【補正対象項目名】００２１
【補正方法】変更
【補正の内容】
【００２１】
前記工程（１）が、前記反射面のみに前記溶液を噴きつけることによって塗布を行う工程を有することも好ましい。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
さらに本発明は、光を反射する複数の反射面を有するポリゴンミラーにおいて、該反射面上に、膜厚分布を持つ膜を有することを特徴とするポリゴンミラーである。